(57)【要約】【課題】導体同士の超音波接合時に良好な接合強度を得ることができる電線配列治具、及び、この電線配列治具を備えて構成される超音波接合装置を提供する。【解決手段】超音波接合装置１は、超音波接合装置本体４と、導体３同士の超音波接合時に各電線２を配列させる電線配列治具５とを備えて構成される。電線配列治具５は、各電線２を挿入可能な電線配列溝１６を設けてなる。電線配列溝１６は、電線２の挿入開始側から電線配列溝１６の底部２５までの間の少なくとも中間部に電線２の挿入開始側から底部２５に向かって電線配列溝１６の幅方向の間隔が連続的に狭くなるように形成される。【選択図】図４
2018140396.tif 000002
【特許請求の範囲】
【請求項１】
複数の電線それぞれの導体同士の超音波接合時に前記複数の電線を配列させる電線配列治具において、
当該電線配列治具は、
前記複数の電線を挿入可能な電線配列溝を設けてなり、
前記電線配列溝は、
前記複数の電線の挿入開始側から前記電線配列溝の底部までの間の少なくとも中間部に前記複数の電線の挿入開始側から前記電線配列溝の底部に向かって前記電線配列溝の幅方向の間隔が連続的に狭くなるように形成される
ことを特徴とする電線配列治具。
【請求項２】
請求項１に記載の電線配列治具において、
前記電線配列溝は、
Ｖ字形に形成されるＶ字形溝である、又は、Ｖ字形に形成されるＶ字形溝と該Ｖ字形溝の底部に連通する溝であって該溝の幅方向の間隔が一定となるような凹状に形成される凹溝とからなるように形成されるものである
ことを特徴とする電線配列治具。
【請求項３】
超音波振動を複数の電線それぞれの導体に付与して該導体同士を接合する超音波接合装置本体と、
請求項１又は２に記載の電線配列治具と、
を備えて構成される
ことを特徴とする超音波接合装置。
【請求項４】
請求項３に記載の超音波接合装置において、
当該超音波接合装置は、
前記複数の電線を挿入可能に形成された電線挿入溝を設けてなる電線保持部と、前記電線挿入溝内に挿入された前記複数の電線を押さえ付ける電線押さえ部と、を備えてなる電線保持手段を含む
ことを特徴とする超音波接合装置。
【発明の詳細な説明】
【技術分野】
【０００１】
本発明は、複数の電線それぞれの導体同士の超音波接合時に複数の電線を配列する電線配列治具と、この電線配列治具を備えてなる超音波接合装置に関する。
【背景技術】
【０００２】
従来、複数の電線それぞれの導体に超音波振動を付与して導体同士を接合する超音波接合（超音波溶接ともいう）の技術としては、例えば、特許文献１に開示された技術が知られている。
【０００３】
特許文献１の図７に図示するように、複数の電線それぞれの導体１１０を、一対のガイド治具１２０にてチップ１３２（ホーンともいう）とアンビル１３４との間に寄せるように配設する。しかる後、複数の導体１１０をチップ１３２とアンビル１３４の各対向面にて挟持しチップ１３２とアンビル１３４間で加圧しながら超音波振動を付与し導体１１０同士を接合させる。
【先行技術文献】
【特許文献】
【０００４】
【特許文献１】特開２００６−１５３５４号公報
【発明の概要】
【発明が解決しようとする課題】
【０００５】
ところで、従来技術では、ホーンとアンビルとの間における複数の導体の配列については、何ら規制されていない。このため、本件出願の図８に図示するように、複数の電線２０５の各導体２０６を超音波接合する際、一対のガイド治具２０３，２０４間の幅方向に直交する方向に沿う導体２０６の列を二列以上（図８においては四列）並べたとき、導体２０６が並行配列となる可能性があった。
【０００６】
本件出願の図８に図示するように、導体２０６が並行配列された状態で各導体２０６に対しホーン２０１とアンビル２０２間で加圧しながら超音波振動を付与した場合、超音波振動は、ガイド治具２０３，２０４間の幅方向に直交する方向（図８に図示する複数の矢印の指示する方向）に伝わる。このため、超音波振動は、ガイド治具２０３，２０４間の幅方向には伝わり難く、各導体２０６の導体に、上記幅方向の超音波エネルギーが十分に印加されない虞があった。
【０００７】
上記の通り、各導体２０６に、ガイド治具２０３，２０４間の幅方向の超音波エネルギーが十分に印加されないと、上記幅方向に沿って隣り合う導体２０６同士の接合面の酸化皮膜を破壊し難くなり金属の表面を十分に清掃することができないという虞があった。その結果、上記幅方向に沿って隣り合う導体２０６同士の接合面では、活性化した金属原子が互いに接合し難くなり、良好な接合強度を得ることができないというような問題点があった。
【０００８】
本発明は、上記した事情に鑑みてなされたもので、導体同士の超音波接合時に良好な接合強度を得ることができる電線配列治具、及び、この電線配列治具を備えて構成される超音波接合装置を提供することを課題とする。
【課題を解決するための手段】
【０００９】
上記課題を解決するためになされた請求項１記載の本発明の電線配列治具は、複数の電線それぞれの導体同士の超音波接合時に前記複数の電線を配列させる電線配列治具において、当該電線配列治具は、前記複数の電線を挿入可能な電線配列溝を設けてなり、前記電線配列溝は、前記複数の電線の挿入開始側から前記電線配列溝の底部までの間の少なくとも中間部に前記複数の電線の挿入開始側から前記電線配列溝の底部に向かって前記電線配列溝の幅方向の間隔が連続的に狭くなるように形成されることを特徴とする。
【００１０】
このような特徴を有する本発明は、電線配列溝に複数の電線が挿入されると、電線配列溝の幅方向に直交する方向に隣り合う各電線が電線配列溝の幅方向にずれて配置される。これにより、複数の電線が電線配列溝内で、例えば、千鳥配列となる。
【００１１】
請求項２記載の本発明の電線配列治具は、請求項１に記載の電線配列治具において、前記電線配列溝は、Ｖ字形に形成されるＶ字形溝である、又は、Ｖ字形に形成されるＶ字形溝と該Ｖ字形溝の底部に連通する溝であって該溝の幅方向の間隔が一定となるような凹状に形成される凹溝とからなるように形成されるものであることを特徴とする。
【００１２】
このような特徴を有する本発明は、電線配列溝がＶ字形溝となるか、又は、部分的にＶ字形溝を備える溝となる。このような電線配列溝に複数の電線が挿入されると複数の電線がＶ字形溝内の縁面にガイドされて電線配列溝内に配列される。
【００１３】
請求項３記載の本発明の超音波接合装置は、超音波振動を複数の電線それぞれの導体に付与して該導体同士を接合する超音波接合装置本体と、請求項１又は２に記載の電線配列治具と、を備えて構成されることを特徴とする。
【００１４】
このような特徴を有する本発明は、請求項１又は２に記載の電線配列治具を備えて構成される超音波接合装置となる。
【００１５】
請求項４記載の本発明の超音波接合装置は、請求項３に記載の超音波接合装置において、当該超音波接合装置は、前記複数の電線を挿入可能に形成された電線挿入溝を設けてなる電線保持部と、前記電線挿入溝内に挿入された前記複数の電線を押さえ付ける電線押さえ部と、を備えてなる電線保持手段を含むことを特徴とする。
【００１６】
このような特徴を有する本発明は、電線挿入溝内に挿入された複数の電線が電線押さえ部によって押さえ付けられることにより、複数の電線が電線挿入溝内に保持される。これにより、複数の電線は、電線の長手方向の位置ずれが生じ難くなる。
【発明の効果】
【００１７】
請求項１に記載された本発明によれば、各電線を電線配列溝内で、例えば、千鳥配列させることにより、各電線の導体が並行配列されることを防止することができるようになる。以下、各電線が千鳥配列された場合を例に説明する。千鳥配列となった各電線の導体に超音波振動を付与すると、この超音波振動は、電線配列溝の幅方向に沿う電線の列のうち隣り合う列の上記幅方向にずれて配置された電線の導体に伝わる。これにより、千鳥配列となった各電線の導体に均一に超音波エネルギーを印加することができるようになる。このため、上記幅方向に沿う電線の列のうち隣り合う列の各電線の導体同士の接合面の酸化皮膜が破壊され、この導体同士が接合する。このように、本発明によれば、並行配列された各電線の導体に超音波振動を付与し導体同士を接合した場合と比較して接合強度が良好となる。したがって、導体同士の超音波接合時に良好な接合強度を得ることができるという効果を奏する。
【００１８】
請求項２に記載された本発明によれば、請求項１の効果に加え、つぎのような効果も奏する。すなわち、電線配列溝に挿入された各電線がＶ字形に形成された溝内の縁面にガイドされることにより、電線配列溝の幅方向に直交する方向に隣り合う各電線が電線配列溝の幅方向にずれて配置され易くなる。これにより、各電線を、電線配列溝内で、例えば、千鳥配列させ易くなる。このため、各電線の導体が並行配列されることを、より確実に防止することができる。したがって、導体同士の超音波接合時に、より良好な接合強度を得ることができるという効果を奏する。
【００１９】
請求項３に記載された本発明によれば、請求項１又は２に記載の電線配列治具と同様の効果を奏する。
【００２０】
請求項４に記載された本発明によれば、請求項３の効果に加え、つぎのような効果も奏する。すなわち、電線保持手段にて保持された各電線は、この長手方向における位置ずれが生じ難くなるため、各電線の導体が所定の位置に配置されるようになる。これにより、導体同士の超音波接合時に各導体に確実に超音波振動を付与することができるようになる。したがって、導体同士の超音波接合を、より確実に行うことができるという効果を奏する。
【図面の簡単な説明】
【００２１】
【図１】本発明の電線配列治具を備えて構成される超音波接合装置の概略を示す平面図である。
【図２】本発明の電線配列治具の一端側の正面図である。
【図３】電線保持手段にて複数の電線を保持した状態を示す図である。
【図４】導体同士を超音波接合する作業を示す図である。
【図５】導体同士を超音波接合時における本発明の作用を説明する図である。
【図６】本発明の電線配列治具の変形例１を示す図である。
【図７】本発明の電線配列治具の変形例２を示す図である。
【図８】従来技術の問題点を説明するための図である。
【発明を実施するための形態】
【００２２】
以下、図１−図５を参照しながら、本発明に係る電線配列治具、及び、この電線配列治具を備えて構成される超音波接合装置の実施例について説明する。
【実施例】
【００２３】
図１は本発明の電線配列治具を備えて構成される超音波接合装置の概略を示す平面図、図２は本発明の電線配列治具の一端側の正面図、図３は電線保持手段にて複数の電線を保持した状態を示す図、図４は導体同士を超音波接合する作業を示す図、図５は導体同士を超音波接合時における本発明の作用を説明する図である。
なお、図中の矢印は、上下、左右、前後の各方向を示している（矢印の各方向は一例であるものとする）。
【００２４】
図１において、引用符号１は、本発明に係る電線配列治具を備えて構成される超音波接合装置を示している。超音波接合装置１は、超音波溶接装置ともいい、複数の電線２の導体３同士を超音波接合するための装置である。超音波接合装置１は、超音波接合装置本体４と、電線配列治具５と、電線保持手段６とを備えて構成されている。以下、超音波接合装置１の各構成を説明しながら本発明に係る電線配列治具５について説明する。
【００２５】
まず、超音波接合装置本体４について説明する。
図１に図示するように、超音波接合装置本体４は、超音波接合装置１の一端（図１においては、前端）側に配置され、ホーン７と、アンビル８（図４参照）と、一対のガイド部材９，１０とを備えて構成されている。
【００２６】
ホーン７及びアンビル８は、図４及び図５に図示するように、上下方向において互いに対向するように配置され、ホーン７とアンビル８にて各導体３を挟持し、ホーン７とアンビル８間で加圧しながら超音波振動を付与し導体３同士を超音波接合するための部材である。
【００２７】
図４に図示するように、ホーン７は、アンビル８と対向する対向面１１を備えている。ホーン７は、対向面１１を上方に向けて固設されている。ホーン７は、図示しない超音波振動子の振動（超音波振動）が伝達されるように構成されている。
【００２８】
本実施例においては、ホーン７は、固設されているものであるが、これに限定されるものではない。その他、例えば、ホーン７を図示しない駆動機構にて後述するアンビル８と互いに接離自在に移動できるように構成してもよいものとする。
【００２９】
図４に図示するように、アンビル８は、ホーン７の対向面１１と対向する対向面１２を備えている。アンビル８は、対向面１２を下方に向けて（ホーン７の対向面１１と対向させて）超音波接合装置本体４の上部に配置されている。アンビル８は、図示しない駆動機構にてホーン７に対して接離自在に移動（図４においては、上下方向に移動）できるように構成されている。
【００３０】
一対のガイド部材９，１０は、図１に図示するように、電線２の長手方向に直交する方向（図１においては、左右方向）において互いに対向するように配置され、各導体３の両側部を挟持し、ホーン７とアンビル８間における各導体３の加圧をガイドするための部材である。一方のガイド部材９は、他方のガイド部材１０と対向するガイド面１３を備えている。他方のガイド部材１０は、一方のガイド部材９のガイド面１３と対向するガイド面１４を備えている。一対のガイド部材９，１０は、図示しない駆動機構にてホーン７の対向面１１に沿って互いに接離自在に移動（ガイド部材９は、図１に図示する矢印Ａの指示する方向に移動し、ガイド部材１０は、図１に図示する矢印Ｂの指示する方向に移動）できるように構成されている。
【００３１】
つぎに、本発明に係る電線配列治具５について説明する。
図１に図示するように、電線配列治具５は、超音波接合装置本体４の近傍位置（図１においては、超音波接合装置本体４の後端側）に配置され、導体３同士の超音波接合時に複数の電線２を配列するための部材である。
【００３２】
電線配列治具５は、例えば、金属製の板状部材からなり、特に図示しないが、所定の形状に屈曲されて形成されている。図２及び図４に図示するように、電線配列治具５は、この一端１５側に、複数の電線２を挿入可能な電線配列溝１６を備えている。
【００３３】
電線配列溝１６は、図２及び図４に図示するように、この溝内の縁面のうち、互いに対向する一対の縁面が各電線２をガイドする電線ガイド縁面１７，１８として形成されている。また、電線ガイド縁面１７と電線ガイド縁面１８とを繋ぐ縁面は、電線配列溝１６の底部２５として形成されている。電線ガイド縁面１７，１８は、複数の電線２の挿入開始側（図２においては、電線配列溝１６の一端１５側）から底部２５にわたって、複数の電線２の挿入開始側から底部２５に向かって傾斜するように形成されている。
【００３４】
本発明における「電線配列溝」は、複数の電線２の挿入開始側から溝内の底部２５までの間の少なくとも中間部に複数の電線２の挿入開始側から底部２５に向かって電線配列溝１６の幅方向（図２においては、左右方向）の間隔が連続的に狭くなるように形成されているものである。本実施例における電線配列溝１６は、図２に図示するように、複数の電線２の挿入開始側から底部２５にわたって、複数の電線２の挿入開始側から底部２５に向かって電線配列溝１６の幅方向の間隔が連続的に狭くなるように形成されている。このように、本実施例における電線配列溝１６は、Ｖ字形に形成されているＶ字形溝である。
【００３５】
本実施例における電線配列溝１６は、図４に図示するように、複数の電線２の挿入時に、この電線配列溝１６の幅方向（図４においては、左右方向）に沿う電線２の列を二列以上並べたとき、隣り合う列の電線２が電線配列溝１６の幅方向にずれて配置され複数の電線２が千鳥配列となるように形成されている。
【００３６】
なお、本実施例における電線配列溝１６は、Ｖ字形に形成されているＶ字形溝であるが、この構成は一例であるものとする。その他、例えば、特に図示しないが、電線配列溝１６における、複数の電線２の挿入開始側から電線配列溝１６の幅方向に直交する方向（図２においては、上下方向）の略中間部にわたって上記幅方向（図２においては、左右方向）の間隔が一定となるように形成されていてもよいものとする。また、後述する変形例に置き換えてもよいものとする。
【００３７】
つぎに、電線保持手段６について説明する。
図１に図示するように、電線保持手段６は、超音波接合装置本体４の近傍位置（図１においては、電線配列治具５の後方）に配置され、導体３同士の超音波接合時に複数の電線２を保持するための部材である。本実施例においては、電線保持手段６は、二つ設けられているが、これに限定されるものではない。電線保持手段６は、より具体的には、図３に図示するように、電線保持部１９と、電線押さえ部２０とを備えて構成されている。
【００３８】
図３に図示する電線保持部１９は、複数の電線２が挿入できるように形成される電線挿入溝２１を備えている。電線挿入溝２１は、この電線挿入溝２１の幅方向（図３においては、左右方向）の間隔が一定となるような凹状に形成されている。
【００３９】
電線挿入溝２１は、図３に図示するように、複数の電線２の挿入時に、この電線挿入溝２１の幅方向に沿う電線２の列を二列以上並べたとき、隣り合う列の電線２が電線挿入溝２１の幅方向にずれて配置され複数の電線２が千鳥配列となるように形成されている。このように、各電線２を電線挿入溝２１内で千鳥配列させることにより、図２に図示する電線配列治具５の電線配列溝１６内で各電線２を千鳥配列させ易くなる。
【００４０】
図３に図示する電線押さえ部２０は、図１においては特に図示しないが、電線保持部１９の後端側に配置され、電線保持部１９の電線挿入溝２１内に挿入された各電線２を押さえ付けるための部材である。電線押さえ部２０は、略Ｌ字状に形成され、電線押さえ部本体２２と、電線押さえ片２３とを備えて構成されている。
【００４１】
電線押さえ部本体２２は、図３に仮想線で図示するように、電線保持部１９の長手方向に沿って上下方向に移動できるように構成されている。
【００４２】
電線押さえ片２３は、図３に図示するように、電線押さえ部本体２２の一端側から電線押さえ部本体２２の長手方向に直交するように突設されている。電線押さえ片２３は、電線挿入溝２１内に挿入された各電線２と対向する電線押さえ面２４を備えている。
【００４３】
電線押さえ片２３は、電線押さえ部本体２２の上下移動により、電線挿入溝２１内における電線押さえ面２４の高さ位置を調節できるように構成されている。これにより、電線押さえ片２３は、電線挿入溝２１内に挿入された電線２の本数に応じて電線押さえ面２４の高さ位置を調節することができる。図３において、電線押さえ部２０が下方に移動すると、仮想線で図示された電線押さえ片２３の電線押さえ面２４は、各電線２に当接し各電線を押さえ付ける。これにより、各電線２は、この長手方向における位置ずれが生じ難くなる。
【００４４】
つぎに、超音波接合装置１にて導体２同士を超音波接合する作業について説明する。
まず、図１に図示するように、複数の電線２を、電線保持手段６にて、先に説明した通り保持する（図３参照）。そして、図１及び図４に図示するように、複数の電線２を、電線配列治具５の電線配列溝１６内に挿入し、各導体３をホーン７とアンビル８との間に配置する。
【００４５】
しかる後、図１において、ガイド部材９，１０を、ホーン７の対向面１１に沿って互いに接近する方向（ガイド部材９は、図１に図示する矢印Ａの指示する方向、また、ガイド部材１０は、図１に図示する矢印Ｂの指示する方向）に移動させ、導体３を配置する所定の間隔を形成する。
【００４６】
すると、電線配列治具５の電線配列溝１６内に挿入された各電線２は、電線配列溝１６の電線ガイド縁面１７，１８にてガイドされるとともに、各電線２の導体は、ガイド部材９，１０のガイド面１３，１４にてガイドされる。これにより、図４に図示するように、電線配列溝１６の幅方向（図４においては、左右方向）に沿う電線２の列が複数列並べられ、隣り合う列の電線２が電線配列溝１６の幅方向にずれて配置され各電線２が千鳥配列となる。
【００４７】
しかる後、図４に図示するように、アンビル８を、矢印Ｃの指示する方向（図４においては、下方）に移動させる。そして、図５に図示するように、ホーン７とアンビル８にて各導体３を挟持し、ホーン７とアンビル８間で加圧しながら、超音波振動子から伝達された超音波振動を付与し導体３同士を接合する。以上により、導体２同士を超音波接合する作業が完了する。
【００４８】
つぎに、本発明に係る電線配列治具５を用いた場合の作用について説明する。
図５に図示するように、千鳥配列となった各電線２の導体３に超音波振動を付与すると、この超音波振動は、図５に図示する複数の矢印が指示するように、電線配列溝１６の幅方向に沿う電線２の列のうち隣り合う列の上記幅方向にずれて配置された電線２の導体３に伝達される。これにより、千鳥配列となった各電線２の導体３に均一に超音波エネルギーが印加される。このため、上記幅方向に沿う電線２の列のうち隣り合う列の各電線２の導体３同士の接合面の酸化皮膜が破壊され、この導体３同士が接合する。
【００４９】
本発明のように、電線配列溝１６の幅方向に沿う電線２の列のうち隣り合う列の各電線２の導体３同士を接合した場合、図７に図示するような並行配列された各電線２０５の導体２０６に超音波振動を付与し導体２０６同士を接合した場合と比較して接合強度が良好となる。
【００５０】
また、本発明のように、電線配列溝１６の幅方向に沿う電線２の列のうち隣り合う列の各電線２の導体３同士の接合面の酸化皮膜が破壊されることにより、電線３がアルミ電線のように導体の表面に強固な酸化皮膜を有するものであっても、確実に酸化皮膜が除去される。
【００５１】
以上の本発明に係る電線配列治具５は、図６に図示する変形例１、または、図７に図示する変形例２に置き換えてもよいものとする。以下、変形例１，２について説明する。
【００５２】
＜変形例１＞
図６に図示する変形例１に係る電線配列治具３０は、電線配列溝３１が、実施例における電線配列治具５の電線配列溝１６（図２参照）と比較して、複数の電線２の挿入開始側（図６においては、電線配列治具３０の一端３２側）の幅方向（図６においては、左右方向）の間隔が狭くなるように形成されている。
【００５３】
電線配列溝３１は、電線ガイド縁面３３，３４が、複数の電線２の挿入開始側から電線配列溝３１の底部３５にわたって、複数の電線２の挿入開始側から底部３５に向かって傾斜するように形成されている。電線配列溝３１は、実施例における電線配列治具５の電線配列溝１６（図２参照）よりも鋭角となるＶ字形に形成されているＶ字形溝である。
【００５４】
図６に図示するように、電線配列溝３１に複数の電線２が挿入されると、電線配列溝３１の幅方向に直交する方向（複数の電線２の挿入方向、または、図６においては、上下方向）に隣り合う各電線２が電線配列溝３１の幅方向（図６においては、左右方向）にずれて配置される。
【００５５】
なお、本実施例における電線配列溝３１は、Ｖ字形に形成されているＶ字形溝であるが、この構成は一例であるものとする。その他、例えば、特に図示しないが、電線配列溝３１における、複数の電線２の挿入開始側から電線配列溝３１の幅方向に直交する方向の略中間部にわたって上記幅方向の間隔が一定となるように形成されていてもよいものとする。
【００５６】
＜変形例２＞
図７に図示する変形例２に係る電線配列治具４０は、電線配列溝４１が、Ｖ字形溝４２と、凹溝４３とを備えて構成されている。
【００５７】
Ｖ字形溝４２は、図７に図示するように、Ｖ字形に形成され、このＶ字形溝４２の互いに対向する一対の縁面が各電線２（図１参照）をガイドする電線ガイド縁面４４，４５として形成されている。電線ガイド縁面４４，４５は、複数の電線２の挿入開始側（図７においては、電線配列溝４１の一端４８側）からＶ字形溝４２の底部（図７においては、Ｖ字形溝４２と後述する凹溝４３とが連通する連通位置Ｘに相当する）にわたって、複数の電線２の挿入開始側から電線配列溝４１の後述する底部４９に向かって傾斜するように形成されている。
【００５８】
凹溝４３は、図７に図示するように、Ｖ字形溝４２の底部（連通位置Ｘ）に連通し溝の幅方向（図７においては、左右方向）の間隔が一定となるような凹状に形成され、この凹溝４３の互いに対向する一対の縁面が各電線２（図１参照）をガイドする電線ガイド縁面４６，４７として形成されている。また、電線ガイド縁面４６と電線ガイド縁面４７とを繋ぐ縁面は、電線配列溝４１の底部４９として形成されている。
【００５９】
なお、電線配列溝４１は、特に図示しないが、Ｖ字形溝４２における、複数の電線２の挿入開始側からＶ字形溝４２の幅方向に直交する方向（図７においては、上下方向）の略中間部にわたって上記幅方向（図７においては、左右方向）の間隔が一定となるように形成されていてもよいものとする。すなわち、電線配列溝４１は、複数の電線２の挿入開始側から電線配列溝４１の底部４９までの間の中間部に複数の電線２の挿入開始側から電線配列溝４１の底部４９に向かって電線配列溝４１の幅方向の間隔が連続的に狭くなるように形成されていてもよいものとする。
【００６０】
電線配列溝４１内における各電線２の配列は、特に図示しないが、例えば、以下のようなものがあり得る。
【００６１】
すなわち、凹溝４３内に挿入される各電線２は、上下方向に沿って配列されるとともに、Ｖ字形溝４２内に挿入される各電線２は、このＶ字形溝４２の幅方向に沿う電線２の列を複数列並べ、隣り合う列の電線２がＶ字形溝４２の幅方向にずれて配置され各電線２が千鳥配列となっている。そして、凹溝４３内に挿入される電線２と隣り合うＶ字形溝４２内の各電線２は、幅方向にずれて配置され、Ｖ字形溝４２と凹溝４３とが連通する連通位置Ｘの近傍においても各電線２が千鳥配列となっている（上記配列は一例であるものとする）。
【００６２】
つぎに、本発明に係る電線配列治具５，３０，４０、及び、この電線配列治具５，３０，４０を備えて構成される超音波接合装置１の効果について説明する。
【００６３】
以上、図１−図７を参照しながら説明してきたように、本発明によれば、各電線２を電線配列溝１６，３１，４１内で、電線配列溝１６，３１，４１の幅方向に直交する方向（複数の電線２の挿入方向）に隣り合う各電線２が電線配列溝１６，３１，４１の幅方向にずれて配置されることにより、各電線２の導体３が並行配列されることを防止することができるようになる。以下、電線配列治具５を用いて各電線２が千鳥配列された場合を例に説明する。千鳥配列となった各電線２の導体３に超音波振動を付与すると、この超音波振動は、電線配列溝１６の幅方向に沿う電線２の列のうち隣り合う列の上記幅方向にずれて配置された電線２の導体３に伝わる。これにより、千鳥配列となった各電線２の導体３に均一に超音波エネルギーを印加することができるようになる。このため、上記幅方向に沿う電線２の列のうち隣り合う列の各電線２の導体３同士の接合面の酸化皮膜が破壊され、この導体３同士が接合する。このように、本発明によれば、図８に図示するように、並行配列された各電線２０５の導体２０６に超音波振動を付与し導体２０６同士を接合した場合と比較して接合強度が良好となる。したがって、導体３同士の超音波接合時に良好な接合強度を得ることができるという効果を奏する。
【００６４】
また、本発明によれば、上記効果に加え、つぎのような効果も奏する。すなわち、電線配列溝１６，３１，４１に挿入された各電線２がＶ字形に形成された溝内の縁面１７，１８，３３，３４，４４，４５にガイドされることにより、電線配列溝１６，３１，４１の幅方向に直交する方向に隣り合う各電線２が電線配列溝１６，３１，４１の幅方向にずれて配置され易くなる。これにより、電線配列治具５を一例として挙げれば、各電線２を、電線配列溝１６内で千鳥配列させ易くなる。このため、各電線２の導体３が並行配列されることを、より確実に防止することができる。したがって、導体３同士の超音波接合時に、より良好な接合強度を得ることができるという効果を奏する。
【００６５】
また、本発明の電線配列治具５，３０，４０を備えて構成される超音波接合装置１は、上記構成の電線配列治具５，３０，４０と同様の効果を奏する。
【００６６】
さらに、本発明の電線配列治具５，３０，４０を備えて構成される超音波接合装置１は、上記効果に加え、つぎのような効果も奏する。すなわち、電線保持手段６にて保持された各電線２は、この長手方向における位置ずれが生じ難くなるため、各電線２の導体３が所定の位置に配置されるようになる。これにより、導体３同士の超音波接合時に各導体３に確実に超音波振動を付与することができるようになる。したがって、導体３同士の超音波接合を、より確実に行うことができるという効果を奏する。
【００６７】
この他、本発明は本発明の主旨を変えない範囲で種々変更実施可能なことは勿論である。
【符号の説明】
【００６８】
１…超音波接合装置、  ２…電線、  ３…導体、  ４…超音波接合装置本体、  ５，３０，４０…電線配列治具、  ６…電線保持手段、  ７…ホーン、  ８…アンビル、  ９，１０…ガイド部材、  １１，１２…対向面、  １３，１４…ガイド面、  １５，３２，４８…一端、  １６，３１，４１…電線配列溝、  １７，１８，３３，３４，４４〜４７…電線ガイド縁面、  １９…電線保持部、  ２０…電線押さえ部、  ２１…電線挿入溝、  ２２…電線押さえ部本体、  ２３…電線押さえ片、  ２４…電線押さえ面、  ２５，３５，４９…底部、  ４２…Ｖ字形溝、  ４３…凹溝、  Ｘ…連通位置
【図１】
2018140396.tif 000003
【図２】
2018140396.tif 000004
【図３】
2018140396.tif 000005
【図４】
2018140396.tif 000006
【図５】
2018140396.tif 000007
【図６】
2018140396.tif 000008
【図７】
2018140396.tif 000009
【図８】
2018140396.tif 000010